(57)【要約】【課題】マンホールに接続されている更生管が地震等によりマンホールに対して斜めに傾くように移動した場合でも更生管の端部の破損を防ぐことができる、既設のマンホールの内部のみでの作業によって設置可能なマンホールと更生管との接続具の提供を課題とする。【解決手段】接続具本体３０は、マンホール５０の内壁面に密着固定されるマンホール固定部３１と、更生管の外周壁に密着固定される更生管固定部３２と、マンホール固定部３１と更生管固定部３２との間に配設された屈曲部分を有する蛇腹部３３とによって構成されている。この接続具本体３０は弾性材料により一体的に形成されている。接続具本体３０のマンホール５０の内側に露出する部分はカバー部材１０によって覆われる。２０は蛇腹部保護部材である。【選択図】図１
2012136865.tif 000002
【特許請求の範囲】
【請求項１】
マンホールの下水道管接続口に接続されている既設の下水道管の内壁面に沿って形成される更生管と前記マンホールとの間に介装される接続具本体と、該接続具本体の前記マンホールの内側に露出している部分を覆うカバー部材とから構成されるマンホールと更生管との接続具であって、
前記接続具本体は、前記マンホールの下水道管接続口の周辺部の内壁面に密着固定される略中空円盤状のマンホール固定部と、前記更生管の外周壁に密着固定される円筒状の更生管固定部と、該更生管固定部と前記マンホール固定部との間に配設された断面形状が屈曲部を有する形状となるような蛇腹部とからなり、且つ、前記マンホール固定部と前記蛇腹部と前記更生管固定部とは弾性材料により一体的に形成され、
前記接続具本体の前記マンホールの内側に露出している部分を覆い前記マンホールの内壁面に固定される前記カバー部材は、前記更生管側から前記マンホールの内壁面側に至るその表面側の断面の形状が緩やかな曲線となるように構成されていることを特徴とするマンホールと更生管との接続具。
【請求項２】
前記接続具本体を覆う前記カバー部材と前記蛇腹部との間には蛇腹部保護部材が介装されていることを特徴とする請求項１に記載のマンホールと更生管との接続具。
【請求項３】
請求項１に記載のマンホールと更生管との接続具を既設のマンホールの内部のみでの施工によって設置する設置方法であって、
前記マンホールの下水道管接続口の周辺部の内壁面および該内壁面側に露出している前記既設の下水道管の端部を前記マンホール内部から掘削して前記接続具本体の設置可能な空間を確保する第１の工程と、
該第１の工程により形成された前記空間に前記接続具本体を配設する第２の工程と、
前記既設の下水道管の内壁面に沿って前記更生管を形成する第３の工程と、
前記更生管の端部の外周壁に前記更生管固定部を密着固定する第４の工程と、
前記接続具本体を前記カバー部材で覆い当該カバー部材および前記接続具本体のマンホール固定部を前記マンホールの内壁面に固定する第５の工程と
を含むことを特徴とするマンホールと更生管との接続具の設置方法。
【請求項４】
前記第２の工程には、前記接続具本体の前記蛇腹部に蛇腹部保護部材を装着する工程がさらに含まれることを特徴とする請求項３に記載のマンホールと更生管との接続具の設置方法。
【発明の詳細な説明】
【技術分野】
【０００１】
本発明は、古くなった既設の下水道管の内壁面に沿って新たに形成される更生管とマンホールとの接続具およびその設置方法に関するものである。
【背景技術】
【０００２】
現在、古くなって劣化してしまった下水道管を新たな下水道管にする場合、工事の利便性等の理由から、古い既設の下水道管の内壁面に沿って新たな下水道管（以下、「更生管」という）を形成するという工法が広く用いられている。
【０００３】
この更生管が地震等により動いたときでも、マンホールと更生管との接続部分において更生管が破損しないような更生管とマンホールとの接続具が既に提案されている。
【０００４】
このようなマンホールと更生管との従来の接続具の構成を図１５に示す。
【０００５】
図１５において、マンホール５０の底部には下水道管接続口５１が設けられており、下水道管接続口５１には古い既設の下水道管６０が接続されている。この下水道管６０の内部には、その内壁面に沿って更生管７０が形成されている。更生管７０の端部の外周壁とマンホール５０との間には耐震用のゴムリング８０が配設されている。
【０００６】
このゴムリング８０の部分の拡大図を図１６に示す。
【０００７】
図１６に示したように、更生管７０の端部はゴムリング８０に接触した状態で支持されており、また、更生管７０の端面はマンホール５０の内壁面５２側に露出した状態となっている。
【０００８】
このように構成されたマンホールと更生管との従来の接続具（ゴムリング８０）においては、地震等により更生管７０がその長さ方向に移動した場合でも、その移動に伴って図１７に示したように更生管７０の端部の位置が移動するので、更生管７０の端部には無理な力が加わらず、従って更生管７０の端部の破損を防ぐことができる。
【発明の概要】
【発明が解決しようとする課題】
【０００９】
しかしながら、従来のマンホール５０と更生管７０との接続具においては、地震等において更生管７０がマンホール５０に対して斜めに傾くように移動してしまうような場合には、更生管７０の端部に無理な力が加わってしまい更生管の７０の端部が破損してしまうという虞があった。
【課題を解決するための手段】
【００１０】
以上の問題点を解消するために本発明は、マンホールの下水道管接続口に接続されている既設の下水道管の内壁面に沿って形成される更生管と前記マンホールとの間に介装される接続具本体と、該接続具本体の前記マンホールの内側に露出している部分を覆うカバー部材とから構成されるマンホールと更生管との接続具であって、前記接続具本体は、前記マンホールの下水道管接続口の周辺部の内壁面に密着固定される略中空円盤状のマンホール固定部と、前記更生管の外周壁に密着固定される円筒状の更生管固定部と、該更生管固定部と前記マンホール固定部との間に配設された断面形状が屈曲部を有する形状となるような蛇腹部とからなり、且つ、前記マンホール固定部と前記蛇腹部と前記更生管固定部とは弾性材料により一体的に形成され、前記接続具本体の前記マンホールの内側に露出している部分を覆い前記マンホールの内壁面に固定される前記カバー部材は、前記更生管側から前記マンホールの内壁面側に至るその表面側の断面の形状が緩やかな曲線となるように構成されていることを特徴とするものである。ここで、前記接続具本体を覆う前記カバー部材と前記蛇腹部との間には蛇腹部保護部材が介装されていてもよい。
【００１１】
また、以上のようなマンホールと更生管との接続具を設置する方法として本発明は、前記マンホールの下水道管接続口の周辺部の内壁面および該内壁面側に露出している前記既設の下水道管の端部を前記マンホール内部から掘削して前記接続具本体の設置可能な空間を確保する第１の工程と、該第１の工程により形成された前記空間に前記接続具本体を配設する第２の工程と、前記既設の下水道管の内壁面に沿って前記更生管を形成する第３の工程と、前記更生管の端部の外周壁に前記更生管固定部を密着固定する第４の工程と、前記接続具本体を前記カバー部材で覆い当該カバー部材および前記接続具本体のマンホール固定部を前記マンホールの内壁面に固定する第５の工程とを含むことを特徴とするものである。ここで、前記第２の工程には、前記接続具本体の前記蛇腹部に蛇腹部保護部材を装着する工程がさらに含まれていてもよい。
【発明の効果】
【００１２】
本発明によれば、マンホールに接続されている更生管が地震等によりマンホールに対して斜めに傾くように移動した場合でも更生管の端部の破損を防ぐことができる、既設のマンホールの内部のみでの作業によって設置可能なマンホールと更生管との接続具を提供することができる。
【図面の簡単な説明】
【００１３】
【図１】本発明の実施例１の構成を示す分解斜視図である。
【図２】図１に示した接続具本体３０の構成の説明図である。
【図３】図１に示した接続具本体３０の構成の説明図である。
【図４】図１に示した蛇腹部保護部材２０の構成の説明図である。
【図５】図１に示した蛇腹部保護部材２０の構成の説明図である。
【図６】図１に示したカバー部材１０の構成の説明図である。
【図７】本発明の実施例１の動作の説明図である。
【図８】本発明の実施例１の動作の説明図である。
【図９】本発明の実施例１の動作の説明図である。
【図１０】本発明の実施例１の設置方法の説明図である。
【図１１】本発明の実施例１の設置方法の説明図である。
【図１２】本発明の実施例１の設置方法の説明図である。
【図１３】本発明の実施例１の設置方法の説明図である。
【図１４】本発明の実施例１の設置方法の説明図である。
【図１５】従来のマンホールと更生管との接続具の構成を示す断面図である。
【図１６】従来のマンホールと更生管との接続具の説明図である。
【図１７】従来のマンホールと更生管との接続具の説明図である。
【発明を実施するための形態】
【００１４】
以下、図面を用いて本発明の実施例について説明する。
【実施例１】
【００１５】
図１は、本発明の実施例１の構成を示す分解斜視図である。図１に示したように本実施例１は、カバー部材１０，蛇腹部保護部材２０，接続具本体３０とによって構成されている。なお、５０はマンホールを示している。
【００１６】
以下、本実施例１の各部品について図を用いて詳しく説明する。
【００１７】
図２，図３は接続具本体３０の構成を示した図である。図２（ａ）は上部から視た図であり、５２はマンホールの内壁面を示している。図２（ｂ）は側面図、図２（ｃ）は斜視図である。図３（ａ）は正面図、図３（ｂ）は断面図である。
【００１８】
図２，図３に示したように接続具本体３０は、マンホールの内壁面５２に密着固定が可能なように湾曲している略中空円盤状のマンホール固定部３１と、更生管の外周壁に密着固定が可能な円筒状の更生管固定部３２と、更生管固定部３２とマンホール固定部３１との間に配設された断面形状が屈曲部を有する形状となるように形成された蛇腹部３３とによって構成されている。なお、このマンホール固定部３１と更生管固定部３２と蛇腹部３３とからなる接続具本体３０は、ゴムのような弾性材料によって一体的に形成されている。
【００１９】
図４は、蛇腹部保護部材２０の構成を示した図であり、（ａ）は斜視図、（ｂ）は正面図、（ｃ）は断面図を示している。この蛇腹部保護部材２０は、ゴムやスポンジ等の変形可能な材料によって構成されており、本実施例１においては、円筒状の側面部２２と中空円盤状の上面部２１とを有する形状に形成されている。このような形状に形成したのは、図５に示すように、接続具本体３０の蛇腹部３３への装着を容易に行えるようにするためである。従って、この蛇腹部保護部材２０の形状は図４（ａ）〜（ｃ）に示した形状に限られるものではない。
【００２０】
図６は、カバー部材１０の構成を示した図であり、（ａ）は上部から視た図、（ｂ）は正面図、（ｃ）は表面側から見た斜視図、（ｄ）は裏面側から見た斜視図である。このカバー部材１０は、接続具本体１０のマンホールの内側に露出している部分を覆うために配設されるものであり、下水のなかのゴミ等によって接続具本体１０が破損等しないように保護する機能を有している。
【００２１】
図６（ｂ），（ｃ），（ｄ）に示したように、本実施例１においては、カバー部材１０は、下側が欠けたような形状となっているが、これは後述する本実施例１の設置作業において、この欠けた部分に相当する接続具本体３０の部分はマンホールの内側に露出しないように設置されることになるためである。また、このカバー部材１０の裏面側が湾曲した形状となっているのは、接続具本体３０のマンホール固定部３１の形状と同様にマンホール５０の内壁面５２に密着するような形状にしてあるためである。
【００２２】
さらに、このカバー部材１０の表面側の形状は、内側の更生管側から外側のマンホールの内壁面側に至るその断面形状が緩やかな曲線となるように形成されている（図７の断面形状参照）。これは、下水のなかのゴミ等がこのカバー部材１０の表面に付着しないようにするためである。
【００２３】
以上のように構成された本実施例１は、図７に示すように、接続具本体３０のマンホール固定部３１とカバー部材１０とは共に複数個の固定ボルト３４によってマンホール５０の内壁面５２に密着するように固定され、更生管固定部３２は固定バンド３５によって更生管３２の外周壁に密着するように固定されるものである。
【００２４】
以上のように構成された本実施例１をマンホール５０と更生管７０との間に介装した場合には、図７に示すように更生管７０がマンホール５０の内側方向に移動しても、図８に示すように更生管７０がマンホール５０の外側方向に移動しても、さらに図９に示すように更生管７０がマンホール５０に対して斜めに傾くように移動しても、蛇腹部３３が変形するために更生管７０の端部には無理な力が加わらず、従って更生管７０の端部が破損するようなことはない。
【００２５】
次に、本実施例１の設置方法について図１０〜図１４を用いて説明する。なお、以下に説明する本実施例１の設置の施工に関しては、全ての作業を既設のマンホールの内部で行なうことができる。
【００２６】
先ず、下準備として、マンホール５０の下水道管接続口５１の周辺の内壁面５２を穴掘削する工作機械を設置するための空間を確保するために、マンホール５０の底面部５３を予め定められた深さだけはつる作業を行う。
【００２７】
次に、図１０（ｂ）に示したように穴掘削機９０を設置して、下水道管接続口５１の周辺のマンホール５０の内壁面および既設の下水道管６０の端部を所定の範囲だけ穴掘削して本実施例１に係る接続具本体３０を設置することが可能な空間を確保する。
【００２８】
さらに、図１１（ａ）に示したように、接続具本体３０およびカバー部材１０の固定ボルト用のアンカー５４を、穴開けドリル９１によってマンホールの内壁面５２に開けた下穴５２ａに打ち込む。
【００２９】
次に、図１１（ｂ）に示したように、蛇腹部保護部材２０を装着した接続具本体３０をマンホール５０の内壁面５２に装着する。この際、マンホール固定部３１は、両面接着テープ等で内壁面５２に仮止めしておく。次に、図１２（ａ）に示したように固定バンド３５を緩めた状態で更生管固定部３２に装着しておく。
【００３０】
この状態で、既設の下水道管６０の内部に更生管７０を形成する作業を行い、図１２（ｂ）に示したように更生管固定部３２を固定バンド３５を用いて更生管７０の端部の外周壁に密着固定する。
【００３１】
次に、図１３（ａ）に示したように複数個の固定ボルト３４を用いてカバー部材１０および接続具本体３０のマンホール固定部３１をマンホール５０の内壁面５２に密着固定し、図１３（ｂ）に示した状態にする。
【００３２】
最後に、図１４に示したように、下準備のはつり作業ではつった部分にインバート５５を設置し、インバート５５とマンホール５０の底面部５３との間の隙間にモルタル５６を配設し、更生管７０の端部とインバート５５との間の段差部にコーキング材を配設して作業を終了する。
【００３３】
以上のような既設のマンホールの内部のみでの本実施例１の設置作業により、接続具本体３０がマンホール５０の内側に露出しないような状態で本実施例１を設置することができる。
【符号の説明】
【００３４】
１０  カバー部材
２０  蛇腹部保護部材
２１  上面部
２２  側面部
３０  接続具本体
３１  マンホール固定部
３２  更生管固定部
３３  蛇腹部
３４  固定ボルト
３５  固定バンド
５０  マンホール
５１  下水道管接続口
５２  内壁面
５２ａ  下穴
５３  底面部
５４  アンカー
５５  インバート
５６  モルタル
５７  コーキング材
６０  既設の下水道管
７０  更生管
８０  ゴムリング
【図１】
2012136865.tif 000003
【図２】
2012136865.tif 000004
【図３】
2012136865.tif 000005
【図４】
2012136865.tif 000006
【図５】
2012136865.tif 000007
【図６】
2012136865.tif 000008
【図７】
2012136865.tif 000009
【図８】
2012136865.tif 000010
【図９】
2012136865.tif 000011
【図１０】
2012136865.tif 000012
【図１１】
2012136865.tif 000013
【図１２】
2012136865.tif 000014
【図１３】
2012136865.tif 000015
【図１４】
2012136865.tif 000016
【図１５】
2012136865.tif 000017
【図１６】
2012136865.tif 000018
【図１７】
2012136865.tif 000019